(57)【要約】【課題】上下顎の側面刃で切断された切断物が顎内に滞留することなく、外部に円滑に排出される油圧ショベル用切断機を得る。【解決手段】油圧ショベルのアーム先端部に上顎（３）と枠状の下顎（４）とを上下に対向させて設けるとともに、少なくとも上顎（３）を下顎（４）に対して下方に回動可能に設け、前記上顎（３）及び下顎（４）の左右両側に上側面刃（５）及び下側面刃（６）を設けるとともに、上側面刃（５）を下側面刃（６）に対して内側方にオフセットさせ、前記上側面刃（５）及び下側面刃（６）の左右の間隔を前部から後部に向かって次第に大きくする。【選択図】図１
2011036981.tif 000002
【特許請求の範囲】
【請求項１】
油圧ショベルのアーム先端部に上顎と枠状の下顎とを上下に対向させて設けるとともに、少なくとも上顎を下顎に対して下方に回動可能に設け、前記上顎及び下顎の左右両側に上側面刃及び下側面刃を設けるとともに、上側面刃を下側面刃に対して内側方にオフセットさせてなる油圧ショベル用切断機において、前記上側面刃及び下側面刃の左右の間隔を前部から後部に向かって次第に大きくしたことを特徴とする油圧ショベル用切断機。
【請求項２】
下側面刃の左右の間隔を上部から下部に向かって次第に大きくしたことを特徴とする請求項１記載の油圧ショベル用切断機。
【請求項３】
上顎及び下顎の刃取付け部を互いに対向する円弧状とし、該刃取付け部に３個以上に分割された側面刃を前後に並べて取り付けたことを特徴とする請求項１又は２記載の油圧ショベル用切断機。
【発明の詳細な説明】
【技術分野】
【０００１】
本発明は、油圧ショベルのアーム先端部に取り付けて産業廃棄物や、木材等を切断する油圧ショベル用切断機に関するものである。
【背景技術】
【０００２】
従来の油圧ショベル用切断機として、特許文献１があった。即ち、油圧ショベルのアーム先端部に板状の上顎と枠状の下顎とを上下に対向させて取り付けるとともに、上顎は上下回動可能に取付け、前記上顎及び下顎の両側に、側方にオフセットする側面刃を、また、前記上顎及び下顎の前部に、前後にオフセットする先端刃をそれぞれ取り付け、前記上下の側面刃で被破砕物を所定の長さに切断し、前記上下の先端刃で被破砕物を裂くようにしたものがあった。
【０００３】
前記従来のものは、上顎及び下顎の両側に取り付けた側面刃が前後方向に平行となっていたので、木材等の長物を両側の側面刃で切断した際に、切断物が下顎内に滞留し、これの除去に手数を要するものであった。また、切断物が下顎内に滞留している状態で次の切断が行なわれる際には、前記下顎内に滞留していた切断物が不用意に落下したりすることがあった。
【先行技術文献】
【特許文献】
【０００４】
【特許文献１】特開２００３−２６６３６９
【発明の概要】
【発明が解決しようとする課題】
【０００５】
本発明は、上下顎の側面刃で切断された切断物が顎内に滞留することなく、外部に円滑に排出される新規な油圧ショベル用切断機を得ることを目的とする。
【課題を解決するための手段】
【０００６】
本発明は、前記目的を達成するために以下の如く構成したものである。即ち、請求項１に係る発明は、油圧ショベルのアーム先端部に上顎と枠状の下顎とを上下に対向させて設けるとともに、少なくとも上顎を下顎に対して下方に回動可能に設け、前記上顎及び下顎の左右両側に上側面刃及び下側面刃を設けるとともに、上側面刃を下側面刃に対して内側方にオフセットさせてなる油圧ショベル用切断機において、前記上側面刃及び下側面刃の左右の間隔を前部から後部に向かって次第に大きくしたものである。
請求項２に係る発明は、前記下側面刃の左右の間隔を上部から下部に向かって次第に大きくしたものである。
請求項３に係る発明は、前記上顎及び下顎の刃取付け部を互いに対向する円弧状とし、該刃取付け部に３個以上に分割された側面刃を前後に並べて取り付けるようにしたものである。
【発明の効果】
【０００７】
本願の請求項１に係る発明は、上顎を下顎方向に回動させ、上下の側面刃で被切断物を切断すると、該切断された切断物は下顎の左右の側面刃間に介在することになるが、該側面刃は、前部から後部に向かって左右の間隔が次第に大きくなっているため、切断時の振動、あるいは切断直後にシリンダによって上下顎に振動を付与すると、前記左右の側面刃間に介在する切断物が後方に移動して側面刃との圧接が解除され、下顎内を通過して自重落下することになる。
【０００８】
請求項２に係る発明は、前記下側面刃の左右の間隔を上部から下部に向かって次第に大きくしたので、前記切断された切断物が上顎によって下方に押されると、左右の側面刃間に介在する切断物の側面刃との圧接が解除され、該切断物が下顎内を通過して自重落下することになる。
【０００９】
請求項３に係る発明は、側面刃を３個以上に分割したので、一部の側面刃が損傷した際に、交換すべき側面刃が小物となり、修復費が低減することになるとともに、円弧状にした上下顎の刃取付け部に側面刃を円滑に沿わせて取り付けることができる。
【図面の簡単な説明】
【００１０】
【図１】本発明の実施例を示す顎が開いた状態の斜視図である。
【図２】図１の腰部側面図である。
【図３】図２のIII-III相当の断面図である。
【図４】図２のＡ視図である。
【図５】図２のＢ視図である。
【図６】本発明の実施例を示す顎が閉じた状態の側面図である。
【図７】図６のVII-VII拡大断面図である。
【図８】上顎部の斜視図である。
【図９】下側面刃の他の取り付け状態を示す断面図である。
【発明を実施するための形態】
【００１１】
図１、図２において、１は油圧ショベルのアームであり、該アーム１の先端部にスリッター形の切断機２を着脱可能に取り付ける。該切断機２は、細幅の上顎３と、該上顎３が嵌合する広幅かつ枠型の下顎４とを上下に対向配置して顎連結ピン１０により上下回動可能に連結する。
【００１２】
前記上顎３及び下顎４の相対する刃取付け部を互いに対向する円弧状とし、該刃取付け部にそれぞれ長方形状に分割された４枚の上側面刃５及び下側面刃６を前後に並べて着脱可能に固定し、上顎３及び下顎４の前部に上先端刃７及び下先端刃８を着脱可能に固定する。９は上下側面刃５，６、及び上下先端刃７，８を上下顎３，４に着脱可能に固定するボルトである。
【００１３】
前記上側面刃５及び下側面刃６は、図３〜図５に示すように、両者の間隙（切断間隙）Ｃを０．１ｍｍ〜０．５ｍｍとし、また、下側面刃６及び上側面刃５の左右の間隔Ｍ１，Ｍ２を前部から後部に向かって次第に大きくする。本例では、上下側面刃５，６の後方に向かって拡開するテーパー角度が約２度となるようにする。なお、前記下側面刃６は、図９に示すように、内面６ｂの左右の間隔が上部から下部に向かって次第に大きくなる如く、該内面６ｂに逃げ角αをもたせるようにしてもよい。
【００１４】
前記下顎４は、顎連結ピン１０部から後方に延びる取り付けブラケット１１を一体に有し、該取り付けブラケット１１を油圧ショベルのアーム１の前部下面に配置し、その前部を連結ピン１２を介してアーム１に連結し、その後部をクランプ装置１３によりアーム１に挟持固定する。前記上顎３は、リンク装置１４を介してアーム１側に設けたシリンダー１５のロッド１６に連結し、該ロッド１６を伸縮させることによって上顎３を、顎連結ピン１０を中心として上下方向に回動させる。
【００１５】
前記切断機２（上下顎３，４）をアーム１に取り付け、又は取り外す際には、図７に示すロック装置２０を作動させて上下顎３，４の不用意な拡開を防止する。該ロック装置２０は、図６〜図８に示すようになっいる。
【００１６】
即ち、図８に示すように、上顎３の顎連結ピン１０が嵌合するピン孔２７のボス部下部に、円弧状の係合凹部２１ａを有するストッパー２１を溶接固定する。また、図７に示すように、下顎４であってかつ前記係合凹部２１ａが下方に回動する部位にピン孔２２を形成し、該ピン孔２２から前記係合凹部２１ａに向かって嵌合するロックピン２３を設ける。図６、図７において、２４はロックピン２３の抜けを防止する止めピン、２５はロックピン２３の紛失を防止するつなぎ紐である。
【００１７】
図６において、２６は下顎４側に形成したロックピン２３のピン保持孔であり、係合凹部２１ａ及びピン孔２２から外したロックピン２３を前記ピン保持孔２６に差し込んで保持する。図８において、２７は連結ピン１２が挿通される挿通孔、２８は上顎３をリンク装置１４に連結する連結孔である。
【００１８】
そして、図６に示すように、上顎３が下方に回動して上下顎３，４が閉じた際に、前記ピン孔２２にロックピン２３を差込み、該ロックピン２３の内端部を、図７に示すように、ストッパー２１の係合凹部２１ａに嵌合させ、これにより、前記上顎３の不用意な上方への回動、即ち、上下顎３，４の不用意な拡開を阻止し、切断機２（上下顎３，４）のアーム１への取り付け、取り外しが安全に行なえるようにする。
【００１９】
前記実施例によれば、上下の側面刃５，６の左右間隔を前部から後部に向けて次第に大きくしたので、上下の側面刃５，６で被切断物を切断した際に、下顎４の左右側面刃６間に介在する切断物が切断時の振動、あるいはシリンダ１５によって上下顎４に振動を付与すると、前記切断物は下顎４の左右側面刃６との圧接が解除され、下顎４内を通過して自重落下することになる。
【００２０】
また、前記下側面刃６の左右の間隔を上部から下部に向かって次第に大きくすれば、前記切断された切断物が上顎３によって下方に押されると、下側面刃６の内面６ｂ，６ｂ（左右面）との圧接が解除され、下顎４内を通過して自重落下することになる。
【００２１】
また、側面刃５，６を３個以上に分割したので、一部の側面刃５，６が損傷した際に、交換すべき側面刃が小物となり、修復費が低減することになるとともに、円弧状にした上下顎３，４の刃取付け部に側面刃５，６を円滑に沿わせて取り付けることができる。
【符号の説明】
【００２２】
１    アーム
２    切断機
３    上顎
４    下顎
５    上側面刃
６    下側面刃
７    上先端刃
８    下先端刃
１０    顎連結ピン
１１    取り付けブラケット
１２    連結ピン
１３    クランプ装置
１４    リンク装置
１５    シリンダ
１６    ロッド
２０    ロック装置
２１    ストッパー
２１ａ  係合凹部
２２    ピン孔
２３    ロックピン
２４    止めピン
２５    つなぎ紐
２６    ピン保持孔
２７    挿通孔
２８    連結孔
【図１】
2011036981.tif 000003
【図２】
2011036981.tif 000004
【図３】
2011036981.tif 000005
【図４】
2011036981.tif 000006
【図５】
2011036981.tif 000007
【図６】
2011036981.tif 000008
【図７】
2011036981.tif 000009
【図８】
2011036981.tif 000010
【図９】
2011036981.tif 000011